(57)【要約】　　　（修正有）【課題】主刻印部の他側に固有番号および一連番号からなる暗証番号を刻印し、互いに回転可能な構造の組合体で形成し、固有番号を所定角度回転することにより、任意の暗証番号を変更しておくことができる偽造判別用判子を提供する。【解決手段】円筒形の貫通ホールを有し、上面に多数のボール溝が形成された本体；貫通ホールの下側まで結合される延長部を有する刻印部材；一連番号刻印部材および固有番号刻印部材からなり、一連番号刻印部材は中央に段差が形成されたホールを有し、本体の貫通ホール下段部に固定結合され、固有番号刻印部材は一連番号刻印部材のホールに貫通して刻印部材の延長部底面に螺子結される補助刻印部材；本体の貫通ホールと同じ直径からなる中央ホールを有し、刻印部材と本体の間で刻印部材の延長部が貫通されるように結合され、一側にスプリング及びボールが結合される結合ホールが形成されたリング部材とからなる。【選択図】　　図１
0003099972.tif 000002
【実用新案登録請求の範囲】
【請求項１】
本体上側には刻印部材が具備されこれに蓋が挿脱され、下側には補助刻印部材が結合され、仕上キャップを有する判子において、
円筒形の貫通ホール（１１）を有し、上面に一定間隔で多数のボール溝（１２）が形成された本体（１０）；上記貫通ホール（１１）の下側までスライド結合される延長部（２３）を有する刻印部材（２０）；一連番号刻印部材（３１）および固有番号刻印部材（３２）からなるが、一連番号刻印部材（３１）は中央に段差が形成されたホール（３１ａ）を有し、本体（１０）の貫通ホール（１１）下段部に固定結合され、固有番号刻印部材（３２）は一連番号刻印部材（３１）のホール（３１ａ）に回転可能に貫通して上記刻印部材（２０）の延長部（２３）底面に螺子結合される補助刻印部材（３０）；上記本体（１０）の貫通ホール（１１）と同じ直径からなる中央ホール（４１）を有し、刻印部材（２０）と本体（１０）の間で刻印部材（２０）の延長部（２３）が貫通されるように結合され、一側にスプリング（４３）およびボール（４４）が結合される結合ホール（４２）が形成されたリング部材（４０）；を含んでなるもので、刻印部材（２０）を本体（１０）から回転する時に刻印部材（２０）と結合された固有番号刻印部材（３２）が一緒に回転することを特徴とする偽造判別用判子。
【請求項２】
上記本体（１０）上面に形成されたボール溝の数と一連番号刻印部材（３１）に刻印された一連番号は、同一個数からなり、本体（１０）の中心から同一角度で配置されることを特徴とする請求項１記載の偽造判別用判子。
【考案の詳細な説明】
【０００１】
【考案の属する技術分野】
本考案は固有番号および一連番号からなる暗証番号が刻印された判子（ｓｅａｌ）に関するものであり、より詳しくは、判子本体の一側に一連番号刻印部材を固定結合し、その中心に貫通して回転可能に固有番号刻印部材を結合させ、固有番号刻印部材を所定角度回転させることにより、表示される暗証番号が違ってくるようにする偽造判別用判子に関するものである。
【０００２】
【従来の技術】
判子は、各種文書や確認書類等に確認証明をするために押すもので、個人や法人の区別なく、誰でも必須的に持っていなければならなく、機密文書または通帳に使用する判子、特に財産権と関連した印鑑は、その重要性を誰もが認知している。
【０００３】
普通、金融関連業務を行う際、暗証番号がしばしば必要になってくるが、このとき暗証番号を忘れてしまう場合が多く、判子の主刻印部の他面に暗証番号を彫って便利性を確保している。しかし、判子の紛失および盗難時に、それによる詐欺および犯罪に対処する法案がないという問題点がある。また、役所のような発給機関でも、判子を肉眼だけで見て判断および確認するため、偽造された判子が高度で精密なときは印鑑証明のような重大な書類をそのまま発給してしまう場合があり、これを悪用した犯罪が頻繁に発生している。
【０００４】
最近、役所等の官公署では、印鑑の偽造による犯罪を防ぐため、判子の材質、色彩、形状、暗証番号等の特記事項を印鑑台帳に記録しておいてある。しかし、これもまた判子が他人の手に渡ってしまったとき等、元の判子と同一するため、判子の外形だけでは本人であるか確認できなく、最も理想的な方法で提示されたものが暗証番号の確認である、
【０００５】
また、普通の判子は、主刻印部の他面に暗証番号が彫られていて、番号の変更が不可能なうえ、そのまま露出されるため、判子の識別力に欠けるという問題点が発生している。
【０００６】
【考案が解決しようとする課題】
本考案は、上記のような従来の問題点を勘案して考案されたものであり、その目的は、主刻印部の他側に固有番号および一連番号からなる暗証番号を刻印し、互いに回転可能な構造の組合体で形成し、固有番号を所定角度回転させることにより、任意の暗証番号を変更しておくことができる偽造判別用判子を提供することにある。
【０００７】
【課題を解決するための手段】
本考案は、本体上側には刻印部材が具備されこれに蓋が挿脱され、下側には補助刻印部材が結合され、仕上キャップを有する判子において、
【０００８】
円筒形の貫通ホールを有し、上面に一定間隔で多数のボール溝が形成された本体；上記貫通ホールの下側までスライド結合される延長部を有する刻印部材；一連番号刻印部材および固有番号刻印部材からなるが、一連番号刻印部材は中央に段差が形成されたホールを有し、本体の貫通ホール下段部に固定結合され、固有番号刻印部材は一連番号刻印部材のホールに回転可能に貫通して上記刻印部材の延長部底面に螺子結合される補助刻印部材；上記本体の貫通ホールと同じ直径からなる中央ホールを有し、刻印部材と本体の間で刻印部材の延長部が貫通されるように結合され、一側にスプリングおよびボールが結合される結合ホールが形成されたリング部材；を含んでなることを特徴とする。
【０００９】
このとき、上記本体上面に形成されたボール溝の数と、一連番号刻印部材に刻印された一連番号は、同じ個数から成らなければならなく、本体の中心から同じ角度に配置されることが好ましい。
【００１０】
上記のような本考案は、刻印部材を本体から回転する時に刻印部材と結合された固有番号刻印部材が一緒に回転するようになり、このとき固有番号および一連番号が合体された暗証番号が一列に正しく並び、その回転構造がスプリングにより弾性支持されたボールからなり、多数のボールホームに従って一段ずつスムーズに安定されるように合わせることができる。
【００１１】
【考案の実施の形態】
以下、本考案の具体的な一実施例を図面に沿って詳しく説明する。
図１および図２は、本考案に係る偽造判別用判子の分離斜視図であり、図３は結合断面図を各図示している。
【００１２】
指示符号１０は、円筒形状で、アルミニウム等の単価が低く且つ加工しやすい軽い金属合金材であり、中空の貫通ホール（１１）を有して上面に一定間隔で多数のボール溝（１２）が形成された本体である。
【００１３】
支持符号２０は、上記本体（１０）と同じ直径を有する突部（２１）と、その上側に延長して形成された刻印部（２２）および突部（２１）の下側に形成された延長部（２３）を有した刻印部材である。
【００１４】
上記刻印部（２１）の上面には、個人の名前および法人名等が刻印され、その上側には装飾リング（２４）およびゴムリング（２５）が結合され、その上部から蓋（５０）を挿脱することで仕上げる。また、上記突部（２１）下側に形成された延長部（２３）は、本体（１０）の貫通ホール（１１）と同じ直径からなり、本体（１０）の下段部の近くまでスライド結合されている。
【００１５】
指示番号３０は、円筒形状で中央に段差が形成されたホール（３１ａ）を有し、本体（１０）の貫通ホール（１１）下段部にはめられて固定結合される一連番号刻印部材（３１）と、ホール（３１ａ）に対応されるように頭部を有する螺子形状からなり、上記ホール（３１ａ）に回転可能に結合される固有番号刻印部材（３２）から構成された補助刻印部材である。
【００１６】
上記一連番号刻印部材（３１）の底面には多数の一連番号が刻印されていて、好ましくは上記本体（１０）のボール溝（１２）に対応されるように刻印し、後述する暗証番号の変更時にボール溝（１２）の位置に従って所定角度に変化されても暗証番号が一列に並ぶようにするためである。
【００１７】
上記固有番号刻印部材（３２）は、上側に螺子部を形成して一連番号刻印部材（３１）を貫通し、本体（１０）と結合された刻印部材（２０）の延長部（２３）と螺子結合され、底面は一連番号刻印部材（３１）の底面と同一面を形成するようになる。このため、固有番号刻印部材（３２）の頭部は、最初の組立を簡単にするために長く形成し、刻印部材（２０）と結合後、切削して一連番号刻印部材（３１）の底面と同一面を有するようにすることが好ましい。
【００１８】
指示符号４０は、スプリング（４３）およびボール（４４）を容易に結合させるためのものであり、上記本体（１０）の貫通ホール（１１）と同じ直径からなる中央ホール（４１）を有し、刻印部材（２０）と本体（１０）の間で刻印部材（２０）の延長部（２３）が貫通されるように結合され、一側にスプリング（４３）およびボール（４４）が結合されている結合ホール（４２）が形成されたリング部材である。ここで、上記結合ホール（４２）は、上記本体（１０）上面に形成されているボール溝（１２）と対応される位置に形成されており、安定性のためにさらに一つ追加することもできる。
【００１９】
上記スプリング（４３）およびボール（４４）は、上下に結合され、スプリング（４３）は刻印部材（２０）の突部（２１）の周りの底面により支持されるようになり、ボール（４４）は本体の上面のボール溝（１２）に結合される。
【００２０】
なお、未説明の符号６０は、本体（１０）下段外側に螺子結合される仕上げキャップである。
【００２１】
上記の構成を有する本考案の主要部の組立て過程を説明すると、まず一連番号刻印部材（３１）を本体（１０）貫通ホール（１１）下段部に圧入固定する。ここで、貫通ホール（１１）の下段部には段差（１３）を形成して安定するように固定するのが好ましく、このときボール溝（１２）と同一個数で一連番号を刻印して同一角度に配置する。
【００２２】
本体（１０）を垂直に立てた後、上面ボール溝（１２）にボール（４４）を安着させ、リング部材（４０）を上側に結合する。次にスプリング（４３）を結合ホール（４２）にはめて結合し、刻印部材（２０）を本体（１０）の貫通ホール（１１）にスライド結合する。このとき、リング部材（４０）と刻印部材（２０）は接着結合させるのが好ましい。
【００２３】
次に、本体（１０）の下部から固有番号刻印部材（３２）を一連番号刻印部材（３１）のホール（３１ａ）を貫通させて刻印部材（２０）の延長部（２３）に螺子結合させて固定する。このとき、螺子結合を容易にするために、最初、固有番号刻印部材（３２）の下側は、長く形成して把持できるようにしたり、工具ホームを形成するのが好ましく、堅固に螺子結合した後、一連番号刻印部材（３１）の底面、刻印面と同一な面をなすように切削加工した後、固有番号を刻印する。
【００２４】
これにより、本体（１０）、刻印部材（２０）、リング部材（４０）、補助刻印部材（３０）が緊密に連結結合される。
【００２５】
図４は、組立後の補助刻印部材（３０）の平面を図示したもので、固有番号および一連番号が一列に安定して配置されていることが分かる。
【００２６】
図５は、判子の未使用時に他人に暗証番号を知られないように、暗証番号を他のものに変えた状態を示したもので、刻印部材（２０）を固定して本体（１０）を回転させると、本体（１０）と固定結合された一連番号刻印部材（３１）が回転して暗証番号が変わる。このとき、ボール溝（１２）の位置と一連番号の位置は、同一な個数および角からなり、回転時に固有番号および一連番号の組合せである暗証番号は、常に一列に配置される。
【００２７】
このような本考案の偽造判別用判子は、図６に図示したように実際の使用者により一連番号および固有番号が一致された状態から、判子の偽造可否を判別できるのである。未説明の支持符号７０は印鑑台帳である。
【００２８】
上記本考案の実施例では、本考案の好ましい一実施例を説明しているに過ぎなく、本考案の技術範囲を限定するものではない。
すなわち、本考案は本体外周面に図案や文字を彫っておいて判子の全体的な外観の美しさをさらに向上させることもでき、このような変形が本考案の権利範囲に属することは当然である。
【００２９】
【考案の効果】
上記のような本考案は、判子を紛失および盗まれても判子に表示された暗証番号が変更されていることから、元の暗証番号を知ることができないため、判子の偽造犯罪を防げる効果がある。
【００３０】
また、暗証番号の組合せ時に固有番号と一連番号が一列に正しく並び、回転構造がスプリングで弾性支持されたボールからなり、多数のボール溝に従って一段ずつスムーズ、且つ安定して合わせることができる効果がある。
【図面の簡単な説明】
【図１】本考案に係る偽造判別用判子の分離斜視図である。
【図２】図１の底面分離斜視図である。
【図３】図１の結合断面図である。
【図４】本考案において暗証番号を表示した補助刻印部材の平面図である。
【図５】図４で暗証番号を変えた状態を示した平面図である。
【図６】本考案に係る偽造判別用判子の使用状態図である。
【符号の説明】
１０−本体
２０−刻印本体
３０−補助刻印部材
３１−一連番号刻印部材
３２−固有番号刻印部材
４０−リング部材
５０−蓋
【図１】
0003099972.tif 000003
【図２】
0003099972.tif 000004
【図３】
0003099972.tif 000005
【図４】
0003099972.tif 000006
【図５】
0003099972.tif 000007
【図６】
0003099972.tif 000008